(57)【要約】      （修正有）【課題】救命者や遭難者にとって飲食料の確保等の延命機能を有する多機能救命簡易機器を提供する。【解決手段】密閉構造の筐体３と、該筐体の外周面に接着させて前記筐体を水面上に浮かせる体積を有した固形状の栄養食品部４とからなる多機能救命簡易機器１であって、有害物質及び雑菌を除去するフィルター付き逆浸透膜カーボンナノチューブ６と、超高輝度ＬＥＤ１６と、二次電池と、ソーラーパネル２０と、小型発電機と、長波用アンテナ及び短波用アンテナと、長波及び短波用の波長を送受信可能な送受信器と、マイク２５と、通話用、警報用及びラジオ用として使用可能なスピーカー２６と、電源をオンさせる衝撃感知用センサーと、電源をオンさせる押ボタン２３と、制御盤と、正面視Ｕ字型等の形態の固形状の栄養食品をビニール袋で密封されて被包された前記栄養食品部などを含む多機能救命簡易機器によって課題を実現できた。【選択図】図１
0003174504.tif 000002
【実用新案登録請求の範囲】
【請求項１】
略直方体の筐体を有する密閉構造の多機能本体と、前記多機能本体の外周面に面ファスナーで接着させた、前記多機能本体を水面上に浮かせることが可能な浮力を具備できる体積を有する固形状の栄養食品部と、有害物質及び雑菌を除去するフィルターと、からなる多機能救命簡易機器であって、
略長方形状の断面からなる略正面視Ｕ字型、略ロ字型又は略II字型で、前記長方形状の断面には略Ｕ字型の溝が設けられた形態で、ビニール袋で密封されて被包された固形状の栄養食品部と、
一端が自由端で、他端には前記フィルターを嵌装させ、全長が１〜２ｍで可撓性を有し不使用時は前記栄養食品部の外周壁に設けられた略Ｕ字型の溝部に嵌設して円環状に巻いて収納する、フィルター付き逆浸透膜カーボンナノチューブと、
前記多機能救命簡易機器の筐体の左右側面のどちらかの面に配設し前記予備用のフィルターを収納する蓋付き密閉フィルター収容室と、
前記蓋付き密閉フィルター収容室に収容された、１〜１０個のいずれかの数の予備用フィルターと、
前記筐体の裏面の蓋体に配設し、内部側に断熱材を配設し外部側の蓋体に熱伝導のよい材質からなる板状体との間に介設された電熱線と、
前記筐体の裏面に突設された、外気温を測定する温度計と、
前記筐体の左右側面のどちらかに配置され、水と生石灰を薄い隔壁で別々に収容し、外部側である筐体側の熱伝導の良い材料からなる板材と、筐体の内部側になる周壁及び底壁の断熱材とで形成された、複数の生石灰加温室と、
前記生石灰加温室の隔壁を破壊させるために一端を隔壁に接続し他端を筐体の外部に突出した紐と、
前記筐体の前面の対角する位置に配設した、赤色表示や青色表示をし、かつ点滅順序を設定した点滅パターンで発光する複数の超高輝度ＬＥＤと、
前記筐体の内部に内設され、電源として使用する二次電池と、
前記筐体の前面に配設し、二次電池を充電するソーラーパネルと、
前記筐体の左右側面のどちらかに配設され、手回しで発電させて二次電池を充電する小型発電機と、
前記筐体の内部に内設され、電源をオンさせる衝撃感知用センサーと、
前記筐体の前面に配設され、電源をオンさせる押ボタンと、
前記筐体の内部に内設した、長波用アンテナ及び短波用アンテナと、
前記筐体の内部に内設した、長波及び短波用の波長を送受信可能な送受信器と、
前記筐体の裏面に突設された、遭難者の体温や脈波測定用の温度センサー組込型測定用電極と、
前記筐体の前面の対角位置に配設された通話用のマイク、並びに通話用、警報用及びラジオ用として使用可能なスピーカーと、
前記筐体の内部に内設され、それぞれの部品間の制御を行う制御盤と、
前記筐体の前面に配設され、動作状況のモニタリングを文字表示する有機ＥＬパネル表示部と、
前記筐体の内部に内設され、多機能救命簡易機器のＩＤの発信機と、
前記筐体の内部に内設されたＧＰＳ受信機と、
前記筐体の裏面に接着され、多機能救命簡易機器と衣服との取付け又は取り外しを容易化させた面ファスナーと、
からなることを特徴とする多機能救命簡易機器。
【考案の詳細な説明】
【技術分野】
【０００１】
本考案は、一般に普及しているライフジャケット等に着脱可能な多機能救命簡易機器に関する。より詳しくは、飲料水や食料を確保でき、救難信号を発生でき、体温を測定でき、暖を確保することができ、通信ができ、水に浮く多機能救命簡易機器に関する。
【背景技術】
【０００２】
救命簡易機器に関しては、救命用報知器の技術として、蓋を有するケース内に電池収納部及び非常備品ケース部を設け、他部スペースにはブザーを備えたケース一部に、通常ライトと点滅灯の放光がケース外面に放出できるように位置させ、かつそれらを前記の電池収納部を経てリード線で接続してなるスイッチ機構をケース外面に備えた構成の、救命用報知器の技術が開示されている（特許文献１参照）。
【０００３】
また、航空機用ライフジャケットや海難救命胴衣は、ジャケットだけで保温してくれるものであったり、浮体だけのためのものであったりする。
【先行技術文献】
【特許文献】
【０００４】
【特許文献１】特開平１１−１６１８６４号公報
【考案の概要】
【考案が解決しようとする課題】
【０００５】
しかし、特許文献１に記載の発明は、災害や事故などの非常時に助けを求めることができる報知器であるが、川などに落下した場合には報知器が水没して使えなかったり、救援隊が来るまでの間に、被災者が空腹を感じたときや冷え切った身体を温めたいと感じたときに役に立たないという問題があった。
【０００６】
また、航空機用ライフジャケットや海難救命胴衣は浮力を得るためだけのものや保温のみを目的とするものが多いため、救援隊が到着するまでの間に、体力が弱っていく被災者の体力を補助することができないという問題があった。特に救援隊による救助が７２時間を経過すると、ライフジャケットや救命胴衣には救命要具が装着されていないため、生存が厳しくなるという問題があった。
【０００７】
したがって、本考案の目的は、生存時間７２時間を延ばすことができるように、救命者や遭難者にとっての飲食料の確保等の延命機能、暖をとることができる体温維持機能、救命者や遭難者の体温等の生体情報取得機能、生体情報や位置情報等の遭難者情報の発信機能及び救命機器自体の水没防止機能等を有する多機能救命簡易機器を提供することである。
【課題を解決するための手段】
【０００８】
「考案が解決しようとする課題」に記載した課題を解決するために、請求項１に記載の
多機能救命簡易機器１は、略直方体の筐体３を有する密閉構造の多機能本体２と、前記多機能本体２の外周面に面ファスナー３２で接着させた、前記多機能本体２を水面上に浮かせることが可能な浮力を具備できる体積を有する固形状の栄養食品部４と、有害物質及び雑菌を除去するフィルター５と、からなる多機能救命簡易機器１であって、略長方形状の断面からなる正面視Ｕ字型、略ロ字型又は略II字型で、前記長方形状の断面には略Ｕ字型の溝１０が設けられた形態で、ビニール袋で密封されて被包された固形状の栄養食品部４と、一端が自由端で、他端には前記フィルター５を嵌装させ、全長が１〜２ｍで可撓性を有し不使用時は前記栄養食品部４の外周壁に設けられた略Ｕ字型の溝１０部に嵌設して円環状に巻いて収納する、フィルター付き逆浸透膜カーボンナノチューブ６と、前記多機能救命簡易機器１の筐体３の左右側面のどちらかの面に配設し前記予備用のフィルター５を収納する蓋付き密閉フィルター収容室１１と、前記蓋付き密閉フィルター収容室１１に収容された、１〜１０個のいずれかの数の予備用フィルター５と、前記筐体３の裏面の蓋体に配設し、内部側に断熱材を配設し外部側の蓋体に熱伝導のよい材質からなる板状体との間に介設された電熱線１２と、前記筐体３の裏面に突設された、外気温を測定する温度計１３と、前記筐体３の左右側面のどちらかに配置され、水と生石灰を薄い隔壁で別々に収容し、外部側である筐体３側の熱伝導の良い材料からなる板材と、筐体３の内部側になる周壁及び底壁の断熱材とで形成された、複数の生石灰加温室１４と、前記生石灰加温室１４の隔壁を破壊させるために一端を隔壁に接続し他端を筐体３の外部に突出した紐１５と、前記筐体３の前面の対角する位置に配設した、赤色表示や青色表示をし、かつ点滅順序を設定した点滅パターンで発光する複数の超高輝度ＬＥＤ１６と、前記筐体３の内部に内設され、電源として使用する二次電池１７と、前記筐体３の前面に配設し、二次電池１７を充電するソーラーパネル２０と、前記筐体３の左右側面のどちらかに配設され、手回しで発電させて二次電池１７を充電する小型発電機２１と、前記筐体３の内部に内設され、電源をオンさせる衝撃感知用センサー２２と、前記筐体３の前面に配設され、電源をオンさせる押ボタン２３と、前記筐体３の内部に内設した、長波用アンテナ３０及び短波用アンテナ３１と、前記筐体３の内部に内設した、長波及び短波用の波長を送受信可能な送受信器と、前記筐体３の裏面に突設された、遭難者の体温や脈波測定用の温度センサー組込型測定用電極２４と、前記筐体３の前面の対角位置に配設された通話用のマイク２５、並びに通話用、警報用及びラジオ用として使用可能なスピーカー２６と、前記筐体３の内部に内設され、それぞれの部品間の制御を行う制御盤と、前記筐体３の前面に配設され、動作状況のモニタリングを文字表示する有機ＥＬパネル表示部２７と、前記筐体３の内部に内設され、多機能救命簡易機器１のＩＤの発信機と、前記筐体３の内部に内設されたＧＰＳ受信機と、前記筐体３の裏面に接着され、多機能救命簡易機器１と衣服との取付け又は取り外しを容易化させた面ファスナー３２と、からなることを特徴とする。
【考案の効果】
【０００９】
請求項１に記載の考案は、ライフジャケットや救命胴衣などの衣服に面ファスナー３２で付着させており、その上で飲食物の提供などが可能であるので、１台の携帯型の多機能救命簡易機器１で生存可能時間７２時間を延長させることができるという効果を奏する。
【００１０】
多機能救命簡易機器１は、二次電池１７などを取り付けた多機能本体２と、前記多機能本体２に接着させた固形状の栄養食品部４等とからなり、前記固形用栄養食品は浮体であることから前記筐体３部を水面に浮かせることができ、前記多機能本体２は面ファスナー３２によってライフジャケットや救命胴衣に接着させることができる。したがって、遭難時において、多機能救命簡易機器１を手の届く部位に存するようにする効果があり、このことによって遭難者は多機能救命簡易機器１に装着させている各部品の機能を使用することができる。なお、本考案は小型の携帯型であるので、衣服に簡単に面ファスナー３２で取り付けることができ、山登りや乗船したときなどに装着していても全く不自由なことはない。
【００１１】
また、本考案は、食料品として固形状の栄養食品、及び飲料の供給用として雑菌除去用フィルター５付きの水の浄化装置を装着しており、これらを電力を与えなくても使用することができるので緊急時にも機能を発揮できるという効果を有する。救助が災害発生時から７２時間を経過すると生存が厳しくなってくるが、本考案の多機能救命簡易機器１をライフジャケットや救命胴衣に面ファスナー３２などで接着させておいて使用すると、生存時間を延長させることができる。
【００１２】
まず、飲料水については、水分分子しか通さない逆浸透膜カーボンナノチューブ６で海水や泥水を淡水化することができ、ストローのように使用することができるので、無害な淡水を飲むことができる。たとえば、自分の尿を一次的に飲料として使用することができるため、寒冷地に於いては自分の体温による温かい飲料を得ることができる。また、逆浸透膜カーボンナノチューブ６には、有害な物質を取り除くことができるフィルター５が吸口近くに取り付けられているため、危険な液体を安全な淡水に変えて供給することができる。なおフィルター５の形態には吸口付のものがあり、予備用のフィルター５を多機能救命簡易機器１内に収納することが出来るので、遭難者は複数回にわたって清潔な飲料を飲むことができる。
【００１３】
食品については、ビニールで被包された浮体となる固形状の栄養食品とし、固形の腐敗しにくい食品を準備することによって、遭難者は高カロリーを摂取することができ、体力の消耗を遅らせることができる。
【００１４】
多機能救命簡易機器１の各機能部品を作動させる電源として二次電池１７を搭載しており、太陽光パネルや小型の手動発電機で消費した電力を充電させることができる。そして、太陽電池を利用したり、夜などの太陽電池が使用できないときは、手動で回転させれば発電できる小型の手動発電機を利用できることから、二次電池１７の充電量が不足状態になったときにおいても２４時間いつでも充電でき、いざというときに電池切れを生じさせないようにすることができる。
【００１５】
そして、救助を求める情報発信に関しては、ランプ点滅の視覚的手段によって救難表示を出し、長波や短波の電波で救難信号を広範囲に広がるようにしている。長波や短波によって、救難信号の電波の発信を、数秒間隔から数時間間隔という定期的で行うことができ、ＧＰＳで座標がわかり数メートル単位の精度で場所を特定する情報を電波で送信することができるから、遭難場所の特定をすることができる。また、スピーカー２６によって、遭難を知らせる警報を発することができる。したがって、遭難したときには、第三者の視覚や聴覚に訴えて知らせるとともに、電波によって遠方の第三者にも知らせることができる。
【００１６】
また、第三者に視覚で知らせる方法として、超高輝度ＬＥＤ１６発光を定期的な点滅パターンやランダムな点滅を行うことができる。さらに前記ＬＥＤは、二箇所以上に設けられ、発光色により遭難者の生体状況を区別させることができる。例えば、遭難者の体温や脈波などの生体情報を検知するセンサーを取り付けており、前記センサーからの情報によって自動的に、救難者の生体が問題ない場合には前記ＬＥＤを青色発光させ、遭難者の生体が危険状態の場合には前記ＬＥＤを赤色発光させることができる。
【００１７】
遭難者の体温や脈などの生体情報を電波で情報発信させることができるので、受信した者は、救助の向かう前に遭難者の生体情報を把握して、適切な準備をして救助に向かうことができ、現地で症状にあった適切な処理をすることができる。このことも生存時間延長化につながる。
【００１８】
遭難者が身体が冷え切ってきて暖を取りたいと思うときには、多機能救命簡易機器１の裏面に位置する電熱線１２の周壁に身体の一部を当接させることによって暖を取ることができ、さらには、生石灰と水との化学反応による発熱から暖もとれるようにしており、高温による暖もとることができる。
【００１９】
また、多機能救命簡易機器１の使用状況をモニタリングして文字表示する有機ＥＬパネル表示部２７を設けたことにより、例えば「電池なし」、「ラジオ受信中」、「電波発信中」又は「通話中」など、多機能救命簡易機器１の作動状況を示す、あらかじめ設定した文字を表示することができるので、遭難者は前記機器の作動状況から次の有効な対応をとることができる。
【図面の簡単な説明】
【００２０】
【図１】本考案の多機能救命簡易機器を正面側からみた斜視図である。
【図２】本考案の多機能救命簡易機器を上からみた概要平面図である。
【図３】本考案の多機能救命簡易機器を左側からみた概要左側面図である。
【図４】本考案の多機能本体を正面側からみた斜視図である。
【図５】本考案の多機能本体を裏面側からみた斜視図である。
【考案を実施するための形態】
【００２１】
図１乃至図５で説明する。本考案である多機能救命簡易機器１は、略直方体の筐体３を有する密閉構造の多機能本体２と、前記多機能本体２の外周面に面ファスナー３２で接着させた、前記多機能本体２を水面上に浮かせることが可能な浮力を具備できる体積を有する固形状の栄養食品部４と、有害物質及び雑菌を除去するフィルター５と、からなる多機能救命簡易機器１であって、略長方形状の断面からなる正面視Ｕ字型、略ロ字型又は略II字型で、前記長方形状の断面には略Ｕ字型の溝１０が設けられた形態で、ビニール袋で密封されて被包された固形状の栄養食品部４と、一端が自由端で、他端には前記フィルター５を嵌装させ、全長が１〜２ｍで可撓性を有し不使用時は前記栄養食品部４の外周壁に設けられた略Ｕ字型の溝１０部に嵌設して円環状に巻いて収納する、フィルター付き逆浸透膜カーボンナノチューブ６と、前記多機能救命簡易機器１の筐体３の左右側面のどちらかの面に配設し前記予備用のフィルター５を収納する蓋付き密閉フィルター収容室１１と、前記蓋付き密閉フィルター収容室１１に収容された、１〜１０個のいずれかの数の予備用フィルター５と、前記筐体３の裏面の蓋体に配設し、内部側に断熱材を配設し外部側の蓋体に熱伝導のよい材質からなる板状体との間に介設された電熱線１２と、前記筐体３の裏面に突設された、外気温を測定する温度計１３と、前記筐体３の左右側面のどちらかに配置され、水と生石灰を薄い隔壁で別々に収容し、外部側である筐体３側の熱伝導の良い材料からなる板材と、筐体３の内部側になる周壁及び底壁の断熱材とで形成された、複数の生石灰加温室１４と、前記生石灰加温室１４の隔壁を破壊させるために一端を隔壁に接続し他端を筐体３の外部に突出した紐１５と、前記筐体３の前面の対角する位置に配設した、赤色表示や青色表示をし、かつ点滅順序を設定した点滅パターンで発光する複数の超高輝度ＬＥＤ１６と、前記筐体３の内部に内設され、電源として使用する二次電池１７と、前記筐体３の前面に配設し、二次電池１７を充電するソーラーパネル２０と、前記筐体３の左右側面のどちらかに配設され、手回しで発電させて二次電池１７を充電する小型発電機２１と、前記筐体３の内部に内設され、電源をオンさせる衝撃感知用センサー２２と、前記筐体３の前面に配設され、電源をオンさせる押ボタン２３と、前記筐体３の内部に内設した、長波用アンテナ３０及び短波用アンテナ３１と、前記筐体３の内部に内設した、長波及び短波用の波長を送受信可能な送受信器と、前記筐体３の裏面に突設された、遭難者の体温や脈波測定用の温度センサー組込型測定用電極２４と、前記筐体３の前面の対角位置に配設された通話用のマイク２５、並びに通話用、警報用及びラジオ用として使用可能なスピーカー２６と、前記筐体３の内部に内設され、それぞれの部品間の制御を行う制御盤と、前記筐体３の前面に配設され、動作状況のモニタリングを文字表示する有機ＥＬパネル表示部２７と、前記筐体３の内部に内設され、多機能救命簡易機器１のＩＤの発信機と、前記筐体３の内部に内設されたＧＰＳ受信機と、前記筐体３の裏面に接着され、多機能救命簡易機器１と衣服との取付け又は取り外しを容易化させた面ファスナー３２とからなる。
【００２２】
以下に、本考案である多機能救命簡易機器１を構成する部品ごとに説明する。
【００２３】
まず、本考案である多機能救命簡易機器１は、図１に示すように、略直方体の筐体３を有する密閉構造の多機能本体２と、前記多機能本体２の外周面に面ファスナー３２で接着させた、前記多機能本体２を水面上に浮かせることが可能な浮力を具備できる体積を有する固形状の栄養食品部４と、有害物質及び雑菌を除去するフィルター５とからなる。また、前記多機能救命簡易機器１は面ファスナー３２によってライフジャケットや救命胴衣に容易に接着させて取り付けたり、又は取り外しすることができる。万一、水難事故に出会ったときに、ライフジャケットや水難救命胴衣に面ファスナー３２により接着していた多機能救命簡易機器１が面ファスナー３２部分で離れたときに、前記固形状の栄養食品部４が浮体となって前記多機能救命簡易機器１を水面上に浮かせる効果がある。これにより水難にあったときに万一ジャケット等から剥離しても救命機器を水没させないで使用することができる。
【００２４】
面ファスナー３２は、図５に示すように、多機能本体２の裏面の上下に少なくとも２か所に両面接着テープで貼り付けておき、一方ライフジャケットや水難救命胴衣側にも前記多機能救命簡易機器１を接着させたい位置に合わせて面ファスナーを縫い付けておく。これにより、多機能救命簡易機器１をライフジャケットや水難救命胴衣の所定の位置に貼設させることができる。
【００２５】
前記固形状の栄養食品部４は、図１に示すような正面視Ｕ字型、略ロ字型又は略II字型の固形状の栄養食品がビニール袋で密封されて被包されている。ビニール袋で密封されているので、遭難時であっても清潔な固形状の栄養食品を食することができる。固形状の栄養食品の例としてはカロリーメイト（登録商標）のような食材が挙げられ、本発明の外周面に接着させるように加工した形態を有するとともに、本発明の多機能救命簡易機器１として使用できるように、栄養食品部４の長方形状の断面には、図２や図３に示すように、逆浸透膜カーボンナノチューブ６を嵌設させて巻かれるように、断面が溝底ａと溝側壁ｂとからなる略Ｕ字形状の溝１０が形成され、栄養食品部４の側面には筐体３から突設された小型発電機用摘み２８を貫通させる孔が設けられている。
【００２６】
衝撃感知用センサー２２は、多機能救命簡易機器１の内部に内設された、半導体式の加速度センサーであり、本考案品を身に着装した人が何かが原因で身体に衝撃が生じた場合には、多機能救命簡易機器１の内部に内設された衝撃感知用センサー２２が衝撃を感知し、衝撃感知用センサー２２からの信号が多機能救命簡易機器１の電源をＯＮさせる。
【００２７】
次に、押ボタン２３は、機能救命簡易機器の前面に配設され、人が押ボタン２３を押すと電源がＯＮされる。したがって、本考案である多機能救命簡易機器１は、衝撃感知用センサー２２又は押ボタン２３により電源がＯＮされたことによって作動開始する。
【００２８】
電源としてはリチウム電池やニッケル水素電池などの充電可能な二次電池１７を配設しており、前記二次電池１７の充電用にソーラーパネル２０や小型発電機２１を具備している。ソーラーパネル２０は、多機能救命簡易機器１の前面に配設され、太陽光を受けられるときは二次電池１７にいつでも充電している。
【００２９】
一方、小型発電機２１は、多機能救命簡易機器１の左右側面のどちらかに配設され、ソーラーパネル２０からの充電ができない夜などの場合に緊急的に使用する。前記小型発電機２１としては、例えば手回しで回転させて発電するタイプであって、小型発電機用摘み２８を手で回転を加えることによってバネを巻き、このバネが緩む回転力で発電させる携帯型バネ式発電機がある。このタイプの場合には、充電させたいときに手で回転すればよい。
【００３０】
次に、フィルター５付き逆浸透膜カーボンナノチューブ６は、全長が１〜２ｍで可撓性を有する外径が４〜８ｍｍのチューブであって、不使用時は、両端を略箱形状の多機能救命簡易機器１の上側と下側でそれぞれ別に突出させ、中間部を固形状の栄養食品に設けた溝１０部にぐるぐると巻いており、上側に突出させたチューブの先端には有害物質及び雑菌を除去するフィルター５を差し込んで装着し、下側のチューブの先端は何も装着していない自由端である。
【００３１】
使用するときは、多機能救命簡易機器１の外周面に巻いていたチューブを巻いた状態から解き、フィルター５を装着した側を人が口に入れ、他端側を水中に差し入れて使用する。このフィルター５を通すことによって海水や尿を無毒の水に変えて飲むことができる。
【００３２】
フィルター５は、有害物質や雑菌を取り除く作用を有する水用のフィルター５であればよい。そして、フィルター５は１回使用するごとに新品に代えるため、フィルター５の予備品を多機能救命簡易機器１の左又は右側面側に格納するフィルター収容室１１を設けている。そして、前記フィルター収容室１１は、蓋付で密閉にすることができるようになっており、これにより前記容器が水中に放り投げられても水がフィルター収容室１１内に侵入しないようにしている。
【００３３】
固形状の栄養食品を食したいときには、前記栄養食品部４を面ファスナー３２のところで取外し、ビニール袋を取り除いて、例えばカロリーメイト（商品名）を取りだして食することができる。
【００３４】
次に、外気温を測定する温度計１３は、多機能救命簡易機器１の筐体３の前面側に内設されており、前記温度計１３により測定された外気温は制御盤に伝えられる。設定した温度よりも低い場合には電熱線１２に電流が流れる制御を行う。
【００３５】
次に、電熱線１２はニクロム線からなるヒーターの役目を果たすものであり、多機能救命簡易機器１の筐体３の裏面の蓋体に配設され、内部側に断熱材を配設し外部側に熱伝導のよい銅製の板状体で囲まれており、電源がＯＮされ、かつ外気温が前記温度計１３を通じて例えば設定された温度が５℃であれば、５℃になると制御盤から電熱線１２（ヒーター）に通電させる制御がされ暖かくなってくる。すると人は電熱線１２を収納した板状体に接することによって暖をとることができる。
【００３６】
一方、電源の充電がなくなった場合には、緊急的に、多機能救命簡易機器１の筐体３の左右側面のどちらかに配置され、水と生石灰を薄い隔壁で別々に収容し断熱材で囲われた生石灰加温室１４も暖をとるために使用することができる。使用は、生石灰加温室１４の隔壁を破壊されるための紐１５を引っ張れば、生石灰が水と反応して発熱した熱を利用して暖をとるこができる。また、水と生石灰との組み合わせの生石灰加温室１４を複数設置しているので、遭難者は暖を取りたいときに複数回にわたって生石灰加温室１４を使用した暖をとることができる。
【００３７】
超高輝度ＬＥＤ１６は、前記多機能救命簡易機器１の筐体３の前面の上下で対角する位置にそれぞれに配設され、点灯時は赤色表示や青色表示をし、点滅する。前面の上下にかつ複数配設したのはより目立つようにするためである。赤色表示は遭難者の体温や脈波が異常値を示したときに点滅し、青色表示は遭難者の体温や脈波が正常値のときに点滅する。そして、あらかじめ超高輝度ＬＥＤ１６の点滅する順序を設定しておけば、その設定した点滅パターンで点滅させることができる。
【００３８】
多機能救命簡易機器１の筐体３の裏面に突設された、遭難者の体温や脈波測定用の温度センサー組込型測定用電極２４があり、前記温度センサー組込型測定用電極２４の１つの形態としては、体温を測定する棒状体の温度センサーの外周面に密着させて前記温度センサーを囲繞するように脈波を測定する電極を設置する形態がある。なお、温度センサーとしてはサーミスタ、金属接触子又は非鉄金属接触子などがある。
【００３９】
遭難者が前記温度センサー組込型測定用電極２４に胸などの身体の一部を当接させると遭難者の体温や脈波が測定されるので、遭難者の生体情報を知ることができる。これらの情報は、前記超高輝度ＬＥＤ１６の色表示の区別につながるとともに、通信でもって第三者に連絡することができる。
【００４０】
長波用アンテナ３０及び短波用アンテナ３１は、多機能救命簡易機器１の筐体３の内部に内設され、長波及び短波用の波長を送受信可能な送受信器も筐体３の内部に内設されている。これらにより、遭難中において必要な情報を受けることもでき、救助を求める情報を流すこともできる。
【００４１】
マイク２５及びスピーカー２６は、多機能救命簡易機器１の筐体３の前面の対角位置に配設されている。対角線に配設したのはマイク２５とスピーカー２６があまりに近いとハウリングが生ずるのを防ぐためであり、前面に配設したのは聞きながら話をすることを容易にするためである。マイク２５の使用によって、遭難者が救助に向かう人などと通話をすることができる。
【００４２】
スピーカー２６は、衝撃感知用センサー２２又は押ボタン２３により電源がＯＮされると、スピーカー２６から警報音が設定された時間間隔で鳴るように設定されている。また、人がマイク２５で第三者と話をするときは、その第三者の声がスピーカー２６から発せられるように切り替わる。さらに、ラジオとしての音声を流すこともできる。
【００４３】
有機ＥＬパネル表示部２７は、前記筐体３の前面に配設され、動作状況を文字表示することができる。例えば、あらかじめ「電池なし」、「ラジオ受信中」、「電波発信中」又は「通話中」などを設定しておけば、多機能救命簡易機器１の作動状況を表すことができる。このような表示によって遭難者は多機能救命簡易機器１の作動の正常か異常かを判断することができ、つぎの対応を安心して行うことができる。
【００４４】
ＩＤの発信機は、多機能救命簡易機器１の筐体３の内部に内設され、多機能救命簡易機器１のＩＤ番号を発信する。この番号が知られることによって遭難者が誰かがわかる糸口になる。
【００４５】
ＧＰＳ受信機は、前記筐体３の内部に内設され、遭難者の地球上の位置を知らせることができる。
【００４６】
制御盤は、前記筐体３の内部に内設され、それぞれの部品間の電気的な制御を行っている。制御としては、衝撃感知用センサー２２からの信号又は押ボタン２３からの信号によって、多機能救命簡易機器１の電源をＯＮさせ、スピーカー２６から警報音が設定された時間間隔で鳴るように設定されている。また、温度計１３により検知した外気温が設定した温度よりも低い場合には電熱線１２に電流が流れ加温を行う制御をする。そして、遭難者の体温や脈波の生体情報を検出すると、超高輝度ＬＥＤ１６の赤色か青色の色表示の区別につなげるとともに、長波又は短波の電波でもって第三者に情報発信する制御を行う。そして、多機能救命簡易機器１の作動状況を有機ＥＬパネル表示部２７に表示する制御を行い、ＧＰＳで得た場所情報を長波用アンテナ３０又は短波用アンテナ３１から送信する制御を行う。
【符号の説明】
【００４７】
１    多機能救命簡易機器
２    多機能本体
３    筐体
４    栄養食品部
５    フィルター
６    逆浸透膜カーボンナノチューブ
１０  溝
１１  フィルター収容室
１２  電熱線
１３  温度計
１４  生石灰加温室
１５  紐
１６  超高輝度ＬＥＤ
１７  二次電池
２０  ソーラーパネル
２１  小型発電機
２２  衝撃感知用センサー
２３  押ボタン
２４  温度センサー組込型測定用電極
２５  マイク
２６  スピーカー
２７  有機ＥＬパネル表示部
２８  摘み
３０  長波用アンテナ
３１  短波用アンテナ
３２  面ファスナー
ａ    溝底
ｂ    溝側壁
【図１】
0003174504.tif 000003
【図２】
0003174504.tif 000004
【図３】
0003174504.tif 000005
【図４】
0003174504.tif 000006
【図５】
0003174504.tif 000007